(57)【要約】【課題】梯子の転倒を防止できる梯子支持具を提供する。【解決手段】梯子支持具１は、構造物ＳＴＲに立て掛けられた梯子ＬＡＤを支持する。この梯子支持具１は、構造物ＳＴＲの上方に水平又は斜めに配置される平板状の横板部１０１と、この横板部１０１に連続して横板部１０１と鈍角をなし、構造物ＳＴＲの側方に鉛直又は斜めに配置されて構造物ＳＴＲと梯子ＬＡＤとの間に介在する平板状の縦板部１０２と、を有する支持具本体１０と、この支持具本体１０に取り付けられると共に、梯子ＬＡＤに結び付けられる帯状の結付部材１３と、を備えている。【選択図】図４
0003212549.tif 000002
【実用新案登録請求の範囲】
【請求項１】
構造物に立て掛けられた梯子を支持する梯子支持具であって、
前記構造物の上方に水平又は斜めに配置される平板状の横板部と、前記横板部に連続して前記横板部と直角又は鈍角をなし、前記構造物の側方に鉛直又は斜めに配置されて前記構造物と前記梯子との間に介在する平板状の縦板部と、を有している支持具本体と、
前記支持具本体に取り付けられると共に、前記梯子に結び付けられる帯状又は紐状の結付部材と、を備えていることを特徴とする
梯子支持具。
【請求項２】
前記支持具本体は、プラダンで構成されていることを特徴とする
請求項１に記載の梯子支持具。
【請求項３】
前記支持具本体における前記構造物の側に取り付けられている緩衝材を備えていることを特徴とする
請求項１又は２に記載の梯子支持具。
【請求項４】
前記緩衝材は、前記支持具本体における前記構造物の側の略全体を被覆する発泡ゴムシートで構成されていることを特徴とする
請求項３に記載の梯子支持具。
【請求項５】
前記縦板部における前記構造物の側の反対側に取り付けられて、前記梯子が備えている対の支柱と前記縦板部との間に介在する対の縦板スペーサーを備えていることを特徴とする
請求項１〜４のいずれかに記載の梯子支持具。
【請求項６】
前記横板部における上面側で且つ前記縦板部に連続する端部に取り付けられて、前記梯子が備えている対の支柱と前記横板部との間に介在する対の横板スペーサーを備えていることを特徴とする
請求項１〜５のいずれかに記載の梯子支持具。
【考案の詳細な説明】
【技術分野】
【０００１】
本考案は、構造物に立て掛けられた梯子を支持する梯子支持具に関する。
【背景技術】
【０００２】
家屋などの構造物に立て掛けられた梯子を、当該構造物に固定する金具が知られている（例えば、特許文献１参照）。このような金具によれば、梯子の転倒を防止できる。
【先行技術文献】
【特許文献】
【０００３】
【特許文献１】特許第５８２８８３０号公報
【考案の概要】
【考案が解決しようとする課題】
【０００４】
しかしながら、上記金具は、梯子を立て掛ける構造物に形状等が対応していない場合に使用することができず、梯子の転倒を防止できない。
【０００５】
本考案は、上記課題を鑑みてなされたものであり、梯子の転倒を防止できる梯子支持具を提供することを目的とする。
【課題を解決するための手段】
【０００６】
（１）本考案は、構造物に立て掛けられた梯子を支持する梯子支持具であって、前記構造物の上方に水平又は斜めに配置される平板状の横板部と、前記横板部に連続して前記横板部と直角又は鈍角をなし、前記構造物の側方に鉛直又は斜めに配置されて前記構造物と前記梯子との間に介在する平板状の縦板部と、を有している支持具本体と、前記支持具本体に取り付けられ、前記梯子に結び付けられる帯状又は紐状の結付部材と、を備えていることを特徴とする梯子支持具である。
【０００７】
本考案によれば、支持具本体が有する横板部及び縦板部の面を用いて梯子を支持するので、梯子を立て掛ける構造物の形状によらず梯子を支持することができる。また、支持具本体が結付部材で梯子に結び付けられるので、梯子に支持具本体を固定しつつ、梯子に対する支持具本体の固定角度を柔軟に変更することができる。このため、構造物に立て掛ける梯子の傾斜角度を状況に応じて直ちに変更することができる。
【０００８】
（２）本考案はまた、前記支持具本体は、プラダンで構成されていることを特徴とする上記（１）に記載の梯子支持具である。
【０００９】
上記考案によれば、金属と比較して軽量であるプラダンで支持具本体が構成されているので、所定の強度を保ちつつ軽量化を図ることができる。
【００１０】
（３）本考案はまた、前記支持具本体における前記構造物の側に取り付けられている緩衝材を備えていることを特徴とする上記（１）又は（２）に記載の梯子支持具である。
【００１１】
上記考案によれば、緩衝材が衝撃を和らげるので、梯子が振動することを防ぎ、安全な昇降動作を実現できる。
【００１２】
（４）本考案はまた、前記緩衝材は、前記支持具本体における前記構造物の側の略全体を被覆する発泡ゴムシートで構成されていることを特徴とする上記（３）に記載の梯子支持具である。
【００１３】
上記考案によれば、構造物に対して接触する緩衝材が、グリップ力（摩擦力）を高める発泡ゴムシートで構成されているので、支持具本体を固定した梯子の滑り止めを確実に実現できる。また、構造物に対して支持具本体が直接接触することを緩衝材が防ぐので、構造物の損傷を防止できる。
【００１４】
（５）本考案はまた、前記縦板部における前記構造物の側の反対側に取り付けられて、前記梯子が備えている対の支柱と前記縦板部との間に介在する対の縦板スペーサーを備えていることを特徴とする上記（１）〜（４）のいずれかに記載の梯子支持具である。
【００１５】
上記考案によれば、梯子からの横方向の力を縦板スペーサーが支持具本体に確実に伝達するので、より正確に梯子を支持することができる。
【００１６】
（６）本考案はまた、前記横板部における上面側で且つ前記縦板部に連続する端部に取り付けられて、前記梯子が備えている対の支柱と前記横板部との間に介在する対の横板スペーサーを備えていることを特徴とする上記（１）〜（５）のいずれかに記載の梯子支持具である。
【００１７】
上記考案によれば、梯子からの縦方向の力を横板スペーサーが支持具本体に確実に伝達するので、より正確に梯子を支持することができる。
【考案の効果】
【００１８】
本考案の梯子支持具によれば、梯子の転倒を防止できる。
【図面の簡単な説明】
【００１９】
【図１】本考案の第１実施形態に係る梯子支持具を示す外観斜視図である。
【図２】図１の矢印II方向に視た梯子支持具を示す側面図である。
【図３】梯子に固定された梯子支持具を示す正面図である。
【図４】梯子に固定された梯子支持具を示す側面図である。
【図５】（Ａ）は安全上の規定角度で梯子を立て掛けた状態の梯子支持具を示す側面図であり、（Ｂ）は安全上の規定角度よりも小さい角度で梯子を立て掛けた状態の梯子支持具を示す側面図であり、（Ｃ）は安全上の規定角度よりも大きい角度で梯子を立て掛けた状態の梯子支持具を示す側面図である。
【図６】本考案の第２実施形態に係る梯子支持具を示す側面図である。
【図７】梯子に固定された梯子支持具を示す側面図である。
【図８】本考案の第３実施形態に係る梯子支持具を示す外観斜視図である。
【図９】図８の矢印IX方向に視た梯子支持具を示す側面図である。
【図１０】梯子に固定された梯子支持具を示す側面図である。
【図１１】（Ａ）は安全上の規定角度で梯子を立て掛けた状態の梯子支持具を示す側面図であり、（Ｂ）は安全上の規定角度よりも小さい角度で梯子を立て掛けた状態の梯子支持具を示す側面図であり、（Ｃ）は安全上の規定角度よりも大きい角度で梯子を立て掛けた状態の梯子支持具を示す側面図である。
【図１２】本考案の第４実施形態に係る梯子支持具を示す側面図である。
【図１３】梯子に固定された梯子支持具を示す側面図である。
【図１４】本考案の第５実施形態に係る梯子支持具を示す外観斜視図である。
【図１５】梯子に固定された梯子支持具を示す正面図である。
【考案を実施するための形態】
【００２０】
以下、本考案の実施形態に係る梯子支持具について詳細に説明する。
【００２１】
［第１実施形態］まず、図１〜図４を用いて、第１実施形態に係る梯子支持具１の構成について説明する。図１は、梯子支持具１を示す外観斜視図である。図２は、図１の矢印II方向に視た梯子支持具１を示す側面図である。図３は、梯子ＬＡＤに固定された梯子支持具１を示す正面図である。図４は、梯子ＬＡＤに固定された梯子支持具１を示す側面図である。
【００２２】
図１〜図４に示す梯子支持具１は、対の支柱ＳＵＰの間に複数の踏桟ＳＴＰが架け渡された梯子ＬＡＤを、構造物ＳＴＲに立て掛けられた際に支持する。具体的に、梯子支持具１は、支持具本体１０と、緩衝材１１と、４枚の保護シート１２と、一対の結付部材１３と、を備えている。
【００２３】
支持具本体１０は、プラスチックを素材として作られた段ボールのようなプレートであるプラダンが折り曲げられることで構成されている。この支持具本体１０は、横板部１０１と、縦板部１０２と、を有している。
【００２４】
横板部１０１は、構造物ＳＴＲの上方に水平又は斜めに配置される矩形平板状であり、結付部材１３を取り付けるための一対の貫通孔１０１１，１０１２を有している。
【００２５】
縦板部１０２は、構造物ＳＴＲの側方に斜めに配置されて構造物ＳＴＲと梯子ＬＡＤとの間に介在する矩形平板状であり、結付部材１３を取り付けるための一対の貫通孔１０２１，１０２２を有している。この縦板部１０２は、横板部１０１に連続して横板部１０１と鈍角αをなす。縦板部１０２が横板部１０１となす鈍角αは、梯子ＬＡＤの安全上の規定角度７５°に対応する１０５°（＝１８０°−７５°）であることが好ましい。
【００２６】
緩衝材１１は、支持具本体１０における構造物ＳＴＲの側の略全体を被覆する発泡ゴムシートで構成されている。この緩衝材１１は、接着剤（図示省略）等によって支持具本体１０に貼り付けられている。
【００２７】
保護シート１２は、貫通孔１０１１，１０１２，１０２１，１０２２の各々に面するように、支持具本体１０と、この支持具本体１０に緩衝材１１を貼り付けるための接着剤（図示省略）と、の間に配されている。この保護シート１２は、支持具本体１０と緩衝材１１との間に、結付部材１３を通すための隙間を形成している。
【００２８】
結付部材１３は、支持具本体１０に取り付けられると共に、梯子ＬＡＤの踏桟ＳＴＰに結び付けられる帯状のベルト１３１と、このベルト１３１の端部を結束する金具１３２と、を有している。
【００２９】
ベルト１３１は、例えばナイロンやポリエステル等の繊維から構成されている。一方のベルト１３１は、貫通孔１０１１，１０２１に通されて支持具本体１０に取り付けられると共に、梯子ＬＡＤの踏桟ＳＴＰに巻き付けられてから金具１３２で結束されることで梯子ＬＡＤに結び付けられる。他方のベルト１３１は、貫通孔１０１２，１０２２に通されて支持具本体１０に取り付けられると共に、梯子ＬＡＤの踏桟ＳＴＰに巻き付けられてから金具１３２で結束されることで梯子ＬＡＤに結び付けられる。
【００３０】
次に、図５を用いて、梯子支持具１による作用について説明する。図５（Ａ）は、安全上の規定角度で梯子ＬＡＤを立て掛けた状態の梯子支持具１を示す側面図である。図５（Ｂ）は、安全上の規定角度よりも小さい角度で梯子ＬＡＤを立て掛けた状態の梯子支持具１を示す側面図である。図５（Ｃ）は、安全上の規定角度よりも大きい角度で梯子ＬＡＤを立て掛けた状態の梯子支持具１を示す側面図である。
【００３１】
図５（Ａ）に示すように、梯子支持具１は、一対の結付部材１３によって、縦板部１０２が支柱ＳＵＰと平行となるように梯子ＬＡＤの踏桟ＳＴＰに固定される。梯子支持具１が固定された梯子ＬＡＤを安全上の規定角度となるように構造物ＳＴＲに立て掛けた場合、梯子支持具１は、縦板部１０２が支柱ＳＵＰと平行な状態を維持したまま、横板部１０１が水平となるように梯子ＬＡＤを支持する。
【００３２】
具体的に、梯子支持具１は、縦板部１０２で、梯子ＬＡＤからの縦方向（鉛直方向）及び横方向（水平方向）の力を受ける。そして、梯子支持具１は、縦板部１０２における横板部１０１と連続する部分で、梯子ＬＡＤから受けた横方向の力を構造物ＳＴＲに伝達すると共に、緩衝材１１と構造物ＳＴＲとの間の摩擦によって、梯子ＬＡＤから受けた縦方向の力を構造物ＳＴＲに伝達する。また、梯子支持具１は、横板部１０１で、梯子ＬＡＤから受けた縦方向の力を構造物ＳＴＲに伝達すると共に、緩衝材１１と構造物ＳＴＲとの間の摩擦によって、梯子ＬＡＤから受けた横方向の力を構造物ＳＴＲに伝達する。
【００３３】
図５（Ｂ）に示すように、梯子支持具１が固定された梯子ＬＡＤを安全上の規定角度よりも小さい角度となるように構造物ＳＴＲに立て掛けた場合、梯子支持具１は、縦板部１０２が支柱ＳＵＰと平行となる状態から踏桟ＳＴＰを支点に回動して、横板部１０１が水平となるように梯子ＬＡＤを支持する。
【００３４】
具体的に、梯子支持具１は、縦板部１０２における横板部１０１と連続する部分で、梯子ＬＡＤからの縦方向及び横方向の力を受ける。そして、梯子支持具１は、縦板部１０２における横板部１０１と連続する部分で、梯子ＬＡＤから受けた横方向の力を構造物ＳＴＲに伝達すると共に、緩衝材１１と構造物ＳＴＲとの間の摩擦によって、梯子ＬＡＤから受けた縦方向の力を構造物ＳＴＲに伝達する。また、梯子支持具１は、横板部１０１で、梯子ＬＡＤから受けた縦方向の力を構造物ＳＴＲに伝達すると共に、緩衝材１１と構造物ＳＴＲとの間の摩擦によって、梯子ＬＡＤから受けた横方向の力を構造物ＳＴＲに伝達する。
【００３５】
図５（Ｃ）に示すように、梯子支持具１が固定された梯子ＬＡＤを安全上の規定角度よりも大きい角度となるように構造物ＳＴＲに立て掛けた場合、梯子支持具１は、縦板部１０２が支柱ＳＵＰと平行な状態を維持したまま梯子ＬＡＤを支持する。
【００３６】
具体的に、梯子支持具１は、縦板部１０２で、梯子ＬＡＤからの縦方向及び横方向の力を受ける。そして、梯子支持具１は、縦板部１０２における横板部１０１と連続する部分で、梯子ＬＡＤから受けた横方向の力を構造物ＳＴＲに伝達すると共に、緩衝材１１と構造物ＳＴＲとの間の摩擦によって、梯子ＬＡＤから受けた縦方向の力を構造物ＳＴＲに伝達する。また、梯子支持具１は、横板部１０１における縦板部１０２と連続する部分で、梯子ＬＡＤから受けた縦方向の力を構造物ＳＴＲに伝達すると共に、緩衝材１１と構造物ＳＴＲとの間の摩擦によって、梯子ＬＡＤから受けた横方向の力を構造物ＳＴＲに伝達する。
【００３７】
このように、梯子支持具１によれば、梯子ＬＡＤの転倒を防止できる。具体的に、支持具本体１０が有する横板部１０１及び縦板部１０２の面を用いて梯子ＬＡＤを支持するので、梯子ＬＡＤを立て掛ける構造物ＳＴＲの形状によらず梯子ＬＡＤを支持することができる。また、支持具本体１０が結付部材１３で梯子ＬＡＤに結び付けられるので、梯子ＬＡＤに支持具本体１０を固定しつつ、梯子ＬＡＤに対する支持具本体１０の固定角度を柔軟に変更することができる。このため、構造物ＳＴＲに立て掛ける梯子ＬＡＤの傾斜角度を状況に応じて直ちに変更することができる。
【００３８】
そして、金属と比較して軽量であるプラダンで支持具本体１０が構成されているので、所定の強度を保ちつつ軽量化を図ることができる。
【００３９】
また、緩衝材１１が衝撃を和らげるので、梯子ＬＡＤが振動することを防ぎ、安全な昇降動作を実現できる。
【００４０】
さらに、構造物ＳＴＲに対して接触する緩衝材１１が、グリップ力（摩擦力）を高める発泡ゴムシートで構成されているので、支持具本体１０を固定した梯子ＬＡＤの滑り止めを確実に実現できる。また、構造物ＳＴＲに対して支持具本体１０が直接接触することを緩衝材１１が防ぐので、構造物ＳＴＲの損傷を防止できる。
【００４１】
［第２実施形態］次に、図６及び図７を用いて、第２実施形態に係る梯子支持具２の構成について説明する。図６は、梯子支持具２を示す側面図である。図７は、梯子ＬＡＤに固定された梯子支持具２を示す側面図である。なお、第２実施形態以降の説明において、第１実施形態又は他の実施形態と共通する構成については同一の符号を付す等することで、その説明を省略する。また、第２実施形態以降の説明において、第１実施形態又は他の実施形態と同様の作用及び効果については、その説明を割愛する。
【００４２】
図６及び図７に示す梯子支持具２は、梯子支持具１（図１〜図４参照）と略同じ基本構成を備えている。この梯子支持具２は、支持具本体１０（図１〜図４参照）に代えて支持具本体２０を備えている点で、梯子支持具１と相違する。
【００４３】
支持具本体２０は、プラダンが折り曲げられることで構成されている。この支持具本体２０は、横板部１０１と、縦板部１０２と、係止片２０３と、を有している。
【００４４】
係止片２０３は、構造物ＳＴＲの上方に配置されて構造物ＳＴＲに引っ掛かる長尺平板状である。この係止片２０３は、横板部１０１に連続して横板部１０１と直角をなす。
【００４５】
このように、梯子支持具２によれば、係止片２０３が構造物ＳＴＲに引っ掛かるので、より確実に梯子ＬＡＤを支持することができる。
【００４６】
［第３実施形態］次に、図８〜図１０を用いて、第３実施形態に係る梯子支持具３の構成について説明する。図８は、梯子支持具３を示す外観斜視図である。図９は、図８の矢印IX方向に視た梯子支持具３の側面図である。図１０は、梯子ＬＡＤに固定された梯子支持具３を示す側面図である。
【００４７】
図８〜図１０に示す梯子支持具３は、梯子支持具１（図１〜図４参照）と略同じ基本構成を備えている。この梯子支持具３は、支持具本体１０（図１〜図４参照）に代えて支持具本体３０を備えている点、並びに、一対の横板スペーサー３４及び一対の縦板スペーサー３５を備えている点で、梯子支持具１と相違する。
【００４８】
支持具本体３０は、プラダンが折り曲げられることで構成されている。この支持具本体３０は、横板部１０１（図１〜図４参照）と同様の横板部３０１と、縦板部１０２（図１〜図４参照）と同様の縦板部３０２と、を有している。縦板部３０２が横板部３０１となす角度は、略直角Ｒである。
【００４９】
横板スペーサー３４は、例えばウレタンスポンジで構成され、所定の強度を有する。この横板スペーサー３４は、横板部３０１における上面側で且つ縦板部３０２に連続する端部に接着剤（図示省略）で取り付けられて、梯子ＬＡＤの支柱ＳＵＰと横板部３０１との間に介在する。
【００５０】
縦板スペーサー３５は、例えばウレタンスポンジで構成され、所定の強度を有する。この縦板スペーサー３５は、縦板部３０２における構造物ＳＴＲの側の反対側に接着剤（図示省略）で取り付けられて、梯子ＬＡＤの支柱ＳＵＰと縦板部３０２との間に介在する。
【００５１】
次に、図１１を用いて、梯子支持具３による作用について説明する。図１１（Ａ）は、安全上の規定角度で梯子ＬＡＤを立て掛けた状態の梯子支持具３を示す側面図である。図１１（Ｂ）は、安全上の規定角度よりも小さい角度で梯子ＬＡＤを立て掛けた状態の梯子支持具３を示す側面図である。図１１（Ｃ）は、安全上の規定角度よりも大きい角度で梯子ＬＡＤを立て掛けた状態の梯子支持具３を示す側面図である。
【００５２】
図１１（Ａ）に示すように、梯子支持具３が固定された梯子ＬＡＤを安全上の規定角度となるように構造物ＳＴＲに立て掛けた場合、梯子支持具３は、横板スペーサー３４及び縦板スペーサー３５が元々の形状を維持したまま、梯子ＬＡＤを支持する。
【００５３】
具体的に、梯子支持具３は、縦板スペーサー３５で、梯子ＬＡＤからの縦方向及び横方向の力を受けて縦板部３０２に伝達すると共に、横板スペーサー３４で、梯子ＬＡＤからの縦方向及び横方向の力を受けて横板部３０１に伝達する。そして、梯子支持具３は、縦板部３０２で、縦板スペーサー３５から伝達された横方向の力を構造物ＳＴＲに伝達すると共に、緩衝材１１と構造物ＳＴＲとの間の摩擦によって、縦板スペーサー３５から伝達された縦方向の力を構造物ＳＴＲに伝達する。また、梯子支持具３は、横板部３０１で、横板スペーサー３４から伝達された縦方向の力を構造物ＳＴＲに伝達すると共に、緩衝材１１と構造物ＳＴＲとの間の摩擦によって、横板スペーサー３４から伝達された横方向の力を構造物ＳＴＲに伝達する。
【００５４】
図１１（Ｂ）に示すように、梯子支持具３が固定された梯子ＬＡＤを安全上の規定角度よりも小さい角度となるように構造物ＳＴＲに立て掛けた場合、梯子支持具３は、縦板スペーサー３５が支柱ＳＵＰから離れる方向に踏桟ＳＴＰを支点に回動して、横板スペーサー３４を圧縮するように梯子ＬＡＤを支持する。
【００５５】
具体的に、梯子支持具３は、横板スペーサー３４で、梯子ＬＡＤからの縦方向及び横方向の力を受けて横板部３０１に伝達すると共に、梯子ＬＡＤからの横方向の力を、横板部３０１を介して縦板部３０２に伝達する。そして、梯子支持具３は、縦板部３０２で、横板部３０１を介して伝達された横方向の力を構造物ＳＴＲに伝達すると共に、緩衝材１１と構造物ＳＴＲとの間の摩擦によって、横板部３０１を介して伝達された縦方向の力を構造物ＳＴＲに伝達する。また、梯子支持具３は、横板部３０１で、横板スペーサー３４から伝達された縦方向の力を構造物ＳＴＲに伝達すると共に、緩衝材１１と構造物ＳＴＲとの間の摩擦によって、横板スペーサー３４から伝達された横方向の力を構造物ＳＴＲに伝達する。
【００５６】
図１１（Ｃ）に示すように、梯子支持具３が固定された梯子ＬＡＤを安全上の規定角度よりも大きい角度となるように構造物ＳＴＲに立て掛けた場合、梯子支持具３は、横板スペーサー３４が支柱ＳＵＰから離れる方向に踏桟ＳＴＰを支点に回動して、縦板スペーサー３５を圧縮するように梯子ＬＡＤを支持する。なお、梯子支持具３が回動した場合であっても、横板スペーサー３４の全体が支柱ＳＵＰから離れることはなく、横板スペーサー３４の下端が支柱ＳＵＰと接触した状態が維持される。
【００５７】
具体的に、梯子支持具３は、縦板スペーサー３５で、梯子ＬＡＤからの縦方向及び横方向の力を受けて縦板部３０２に伝達すると共に、横板スペーサー３４における下端で、梯子ＬＡＤからの縦方向及び横方向の力を受けて横板部３０１に伝達する。そして、梯子支持具３は、縦板部３０２で、縦板スペーサー３５から伝達された横方向の力を構造物ＳＴＲに伝達すると共に、緩衝材１１と構造物ＳＴＲとの間の摩擦によって、縦板スペーサー３５から伝達された縦方向の力を構造物ＳＴＲに伝達する。また、梯子支持具３は、横板部３０１で、横板スペーサー３４から伝達された縦方向の力を構造物ＳＴＲに伝達すると共に、緩衝材１１と構造物ＳＴＲとの間の摩擦によって、横板スペーサー３４から伝達された横方向の力を構造物ＳＴＲに伝達する。
【００５８】
このように、梯子支持具３によれば、梯子ＬＡＤからの横方向の力を縦板スペーサー３５が支持具本体３０に確実に伝達するので、より正確に梯子ＬＡＤを支持することができる。
【００５９】
また、梯子ＬＡＤからの縦方向の力を横板スペーサー３４が支持具本体３０に確実に伝達するので、より正確に梯子ＬＡＤを支持することができる。
【００６０】
［第４実施形態］次に、図１２及び図１３を用いて、第４実施形態に係る梯子支持具４の構成について説明する。図１２は、梯子支持具４を示す側面図である。図１３は、梯子ＬＡＤに固定された梯子支持具４を示す側面図である。
【００６１】
図１２及び図１３に示す梯子支持具４は、梯子支持具１（図１〜図４参照）と略同じ基本構成を備えている。この梯子支持具４は、支持具本体１０（図１〜図４参照）に代えて支持具本体４０を備えている点で、梯子支持具１と相違する。
【００６２】
支持具本体４０は、プラダンが湾曲されることで構成されている。この支持具本体４０は、横板部１０１（図１〜図４参照）と同様の横板部４０１と、縦板部１０２（図１〜図４参照）と同様の縦板部４０２と、湾曲部４０４と、を有している。
【００６３】
縦板部４０２は、湾曲部４０４を介して横板部４０１に連続して横板部４０１と鈍角αをなす。縦板部４０２が横板部４０１となす鈍角αは、梯子ＬＡＤの安全上の規定角度７５°に対応する１０５°（＝１８０°−７５°）であることが好ましい。
【００６４】
［第５実施形態］次に、図１４及び図１５を用いて、第５実施形態に係る梯子支持具５の構成について説明する。図１４は、梯子支持具５を示す外観斜視図である。図１５は、梯子ＬＡＤに固定された梯子支持具５を示す正面図である。
【００６５】
図１４及び図１５に示す梯子支持具５は、梯子支持具１（図１〜図４参照）と略同じ基本構成を備えている。この梯子支持具５は、支持具本体１０（図１〜図４参照）に代えて支持具本体５０を備えている点で、梯子支持具１と相違する。
【００６６】
支持具本体５０は、プラダンが折り曲げられることで構成されている。この支持具本体５０は、横板部１０１（図１〜図４参照）と同様の横板部５０１と、縦板部１０２（図１〜図４参照）と同様の縦板部５０２と、を有している。
【００６７】
縦板部５０２は、結付部材１３を取り付けるための二対の貫通孔５０２１，５０２２，５０２３，５０２４を有している。縦板部５０２が横板部５０１となす鈍角αは、梯子ＬＡＤの安全上の規定角度７５°に対応する１０５°（＝１８０°−７５°）であることが好ましい。
【００６８】
保護シート１２は、貫通孔５０２１，５０２２，５０２３，５０２４の各々に面するように、支持具本体５０と、この支持具本体５０に緩衝材１１を貼り付けるための接着剤（図示省略）と、の間に配されている。この保護シート１２は、支持具本体５０と緩衝材１１との間に、結付部材１３を通すための隙間を形成している。
【００６９】
結付部材１３が有している一対のベルト１３１は、支持具本体５０に取り付けられると共に、梯子ＬＡＤの支柱ＳＵＰに結び付けられる。一方のベルト１３１は、貫通孔５０２１，５０２２に通されて支持具本体５０に取り付けられると共に、梯子ＬＡＤの一方の支柱ＳＵＰに巻き付けられてから金具１３２で結束されることで梯子ＬＡＤに結び付けられる。他方のベルト１３１は、貫通孔５０２３，５０２４に通されて支持具本体５０に取り付けられると共に、梯子ＬＡＤの他方の支柱ＳＵＰに巻き付けられてから金具１３２で結束されることで梯子ＬＡＤに結び付けられる。
【００７０】
本考案は、上記各実施形態に限られるものではなく、その趣旨及び技術思想を逸脱しない範囲で種々の変形が可能である。すなわち、各構成の位置、大きさ、長さ、数量、形状、材質などは適宜変更できる。また、各実施形態の構成及び各変形例は、可能な範囲で他の実施形態に適用してもよい。
【００７１】
すなわち、上記実施形態では、支持具本体１０，２０，３０，４０，５０に取り付けられると共に、梯子ＬＡＤに結び付けられる部材として、帯状の結付部材１３を例に説明したが、本発明はこれに限定されるものではない。本発明は、当該部材として、ロープ等の紐状の結付部材を備えているようにしてもよい。
【符号の説明】
【００７２】
１，２，３，４，５  梯子支持具
１０，２０，３０，４０，５０  支持具本体
１０１，３０１，４０１，５０１  横板部
１０１１，１０１２，１０２１，１０２２，５０２１，５０２２，５０２３，５０２４  貫通孔
１０２，３０２，４０２，５０２  縦板部
１１  緩衝材
１２  保護シート
１３  結付部材
１３１  ベルト
１３２  金具
２０３  係止片
３４  横板スペーサー
３５  縦板スペーサー
４０４  湾曲部
ＬＡＤ  梯子
ＳＵＰ  支柱
ＳＴＰ  踏桟
ＳＴＲ  構造物
α  鈍角
Ｒ  直角
【図１】
0003212549.tif 000003
【図２】
0003212549.tif 000004
【図３】
0003212549.tif 000005
【図４】
0003212549.tif 000006
【図５】
0003212549.tif 000007
【図６】
0003212549.tif 000008
【図７】
0003212549.tif 000009
【図８】
0003212549.tif 000010
【図９】
0003212549.tif 000011
【図１０】
0003212549.tif 000012
【図１１】
0003212549.tif 000013
【図１２】
0003212549.tif 000014
【図１３】
0003212549.tif 000015
【図１４】
0003212549.tif 000016
【図１５】
0003212549.tif 000017